(57)【特許請求の範囲】
【請求項１】
前面部と左右の側面部とからなり、前記前面部と前記左右の側面部との間で囲まれる部分に土などの収納空部が形成され、前記左右の側面部には、縦溝状の第１嵌合部を外面に設けてあるとともに、縦方向にしたＬ字状の切り込みによる第２嵌合部を内面に設けてあり、両側面部の後端を離隔してなる本体ブロックと、矩形枠状のブロック体からなり、このブロック体の前面に前側に突出するＴ字状の嵌入部を設け、前記ブロック体の矩形枠状内部には、前記嵌入部と同一形状の嵌合空部を、縦方向に形成した控えブロックとからなり、
所定段の本体ブロックが左右に間隔を有して設置され、前記本体ブロックの間隔内の前記第１嵌合部に前記控えブロックの嵌入部が嵌着されて前記控えブロックの上方部分が前記所定段の前記本体ブロックの上方に突出しているとともに、前記控えブロックが前記本体ブロックの後方に突出して配置され、
前記所定段から２番目の本体ブロックが、前記所定段の本体ブロックに対してずらせて布積みされ、前記所定段の本体ブロックに嵌着されている控えブロックの上方の突出部分に前記所定段から２番目の本体ブロックの収納空部が係合されて前記第２嵌合部が嵌着されることにより、下から順に前記本体ブロック、前記控えブロックが複数段数積み上げられてなることを特徴とする構築用コンクリートブロック。
【請求項２】
前面部と左右の側面部とからなり、前記前面部と前記左右の側面部との間で囲まれる部分に土などの収納空部が形成され、前記左右の側面部には、縦溝状の第１嵌合部を外面に設けてあるとともに、縦方向にしたＬ字状の切り込みによる第２嵌合部を内面に設けてあり、両側面部の後端を離隔してなる本体ブロックと、矩形枠状のブロック体からなり、このブロック体の前面に前側に突出するＴ字状の嵌入部を設け、前記ブロック体の矩形枠状内部には、前記嵌入部と同一形状の嵌合空部を、縦方向に形成した控えブロックとを備え、
本体ブロックが前側であって前記控えブロックが法面側となるように所定段の本体ブロックが左右に間隔を有して設置されて、前記本体ブロックの間隔内の前記第１嵌合部に前記控えブロックの嵌入部が嵌着されていて、前記控えブロックの上方部分が前記所定段の前記本体ブロックの上方に突出しているとともに、前記控えブロックが前記本体ブロックの後方に突出して配置され、
前記所定段から２番目の本体ブロックが、前記所定段の本体ブロックに対してずれている形態で布積みされ、前記所定段の本体ブロックに嵌着されている控えブロックの上方の突出部分に前記所定段から２番目の本体ブロックの収納空部が係合されて前記第２嵌合部が嵌着されていることにより、前記本体ブロックと前記控えブロックとが一体状に結合されて下から順に前記本体ブロック、前記控えブロックが積み上げられていることを特徴とする構築用コンクリートブロックを使用した擁壁。
【発明の詳細な説明】
【０００１】
【発明の属する技術分野】
本発明は、河川の護岸用として、若しくは道路、軌道または土地造成用の法面等の擁壁として利用することができ、特に表面に植物が生えたり、小動物や微生物などの住みかとなって自然環境が保全できる構築用コンクリートブロック及びそのコンクリートブロックを使用した擁壁に関するものである。
【０００２】
【従来の技術】
周知のように、護岸用として若しくは擁壁用として使用されている構築用コンクリートブロックは、無数の構造のものが知られている。
特に擁壁の表面に土などを収納することができて植生できるコンクリートブロックとしては、例えば、本特許出願人が提案した特許第２７３２２０１号公報に記載のものがある。
前記従来のブロックは、植物栽培用の土壌を収納する前方枠部の後面に控え部を介して後方部を一体に設けた構成である。
【０００３】
【発明が解決しようとする課題】
しかし、前記した従来のコンクリートブロックは、前方枠部と控え部とが一体であるから、控え長さ（奥行き長さ）が予め設定されてしまうので、汎用性が少ない。即ち、一般のブロック擁壁においては、コンクリートブロックの控え長さが一定、若しくは数種類に限られているので擁壁の厚さに制約がある。したがって、擁壁の施工現場によって高さが相違するとか、地山や法面の土質に合致する経済的で安全な、また自由度の高い設計をすることができない。また、従来のコンクリートブロックによる擁壁は、ブロックを結合する場合に生コンクリートを打設する練り積み方式であるが、生コンクリートを打設することによって擁壁の表面側と裏面側とが遮断されるため、植物や小動物などが生息できる自然環境を失うことになる。
したがって本発明は、本体ブロックと控えブロックとを空積みして擁壁を構築することにより、擁壁の控え長さを自由に設定することができるし、植物や小動物などの生息環境を保全できるようにしたことを目的とする。
【０００４】
【課題を解決するための手段】
前記目的を達成させるため、本発明は、前面部と左右の側面部とからなり、前記前面部と前記左右の側面部との間で囲まれる部分に土などの収納空部が形成され、前記左右の側面部には、縦溝状の第１嵌合部を外面に設けてあるとともに、縦方向にしたＬ字状の切り込みによる第２嵌合部を内面に設けてあり、両側面部の後端を離隔してなる本体ブロックと、矩形枠状のブロック体からなり、このブロック体の前面に前側に突出するＴ字状の嵌入部を設け、前記ブロック体の矩形枠状内部には、前記嵌入部と同一形状の嵌合空部を、縦方向に形成した控えブロックとからなり、所定段の本体ブロックが左右に間隔を有して設置され、前記本体ブロックの間隔内の前記第１嵌合部に前記控えブロックの嵌入部が嵌着されて前記控えブロックの上方部分が前記所定段の前記本体ブロックの上方に突出しているとともに、前記控えブロックが前記本体ブロックの後方に突出して配置され、前記所定段から２番目の本体ブロックが、前記所定段の本体ブロックに対してずらせて布積みされ、前記所定段の本体ブロックに嵌着されている控えブロックの上方の突出部分に前記所定段から２番目の本体ブロックの収納空部が係合されて前記第２嵌合部が嵌着されることにより、下から順に前記本体ブロック、前記控えブロックが複数段数積み上げられてなることを特徴とする構築用コンクリートブロック、及びその構築用コンクリートブロックを使用した擁壁に関するものである。
【０００５】
【発明の実施の形態】
以下に本発明の実施の形態を図面に基づいて詳細に説明する。
図１は本発明の構築用コンクリートブロックの実施の形態を示す本体ブロックの斜視図、図２は図１の一部を欠截した正面図、図３は図１の平面図、図４は図２のＡ−Ａ線の断面図、図５は図３のＢ−Ｂ線の断面図、図６は控えブロックの斜視図、図７は図６の平面図、図８は図６の正面図、図９は本体ブロックと控えブロックとにより擁壁を構築した状態の概略正面図、図１０は図９の平面図、図１１は図９のＣ−Ｃ線の断面図、図１２は図９のＤ−Ｄ線の断面図、図１３は図９のＥ−Ｅ線の断面図、図１４は本発明の他の実施例の横断平面図である。
【０００６】
本発明における擁壁用コンクリートブロック１は、擁壁を構築した場合に表面側に位置する本体ブロック２と、前記本体ブロック２と一体的に結合される控えブロック３とからなる。
【０００７】
前記本体ブロック２は、図１から図５に示すように、前面部２１と左右の側面部２２とからなる馬蹄形状で、前面部２１と左右の側面部２２との間で囲まれる部分に上下が開放する収納空部２３が形成され、この収納空部２３には植物が繁茂したり昆虫類、蝶その他の小動物が生育することができる土、砂利などを充填する。
【０００８】
そして、前記前面部２１の側縁から側面部２２の前端に連続する隅部２４は、４半分の円弧状の形態であり、また、前記収納空部２３の下端には、前面部２１の下縁から収納空部２３の内部に向かって延在する受け片２５を設けてある。
【０００９】
前記左右の側面部２２の後方側には、上端から高さの途中までの深さの縦溝状の第１嵌合部２６を外面に設けてあるとともに、縦方向にしたＬ字状の切り込みにより構成される第２嵌合部２７を内面に設けてあり、両側面部２２の後端を離隔して開放させてある。
【００１０】
前記控えブロック３は、矩形枠状のブロック体３１からなり、このブロック体３１の前面中央部には、前側に突出する支持部３２と、前記支持部３２の先端に左右方向に延在する係止部３３とにより構成されるＴ字状の嵌入部３４を設け、前記ブロック体３１の矩形枠状内部には、前記嵌入部３４と同一形状の嵌合空部３５を、上下が開放する縦方向に形成した構成である。
【００１１】
前記本体ブロック２と控えブロック３とにより構築される擁壁Ｙは、図９及び図１０で示すように、本体ブロック２が、左右に多少の間隔を有するように布積みされ、また控えブロック３も前記本体ブロック２に対して上下、左右に位置がずれるように布積みされているのである。
【００１２】
前記擁壁Ｙを構築する具体的方法は、図９で示すように、擁壁の最下段において本体ブロック２を、左右に隣り合うブロックが嵌入部３４の支持部３２の幅だけの間隔を形成して左右方向に並列状に設置し、左右に隣り合う本体ブロック２の間隔内に、上から控えブロック３を臨ませて嵌入部３４の係止部３３の左右端部を、左右の本体ブロック２の第１嵌合部２６に上から嵌着する（図１２と同一の形態）。
【００１３】
この場合、第１嵌合部２６は本体ブロック２の高さの途中までしか形成されていないので、その分だけ控えブロック３の上方部分が最下段の本体ブロック２の上面から上方に突出することになり、また控えブロック３のブロック体３１が本体ブロック２の後方に突出することになる。
【００１４】
このようにして最下段の並列する本体ブロック２の各間隔に控えブロック３を嵌着したら、下から２番目の本体ブロック２を、最下段の本体ブロック２に対してブロックの横幅の約２分の１の長さだけずらせて布積みする。この場合、前記のとおり、最下段の本体ブロック２に嵌着されている控えブロック３の上方一部が突出しているので、この突出部分が下から２番目の本体ブロック２の収納空部２３の下方に係合して第２嵌合部２７に嵌着することになる（図１３と同一の状態）。
【００１５】
したがって、最下段の各控えブロック３は、下方部分が最下段の左右の本体ブロック２，２に嵌着し、上方部分が下から２番目に布積みする本体ブロック２の収納空部２３に係合して第２嵌合部２７に嵌着することになる。
このため、上記のようにして下から順に本体ブロック、控えブロックを所望の段数まで積み上げると、本体ブロック２、控えブロック３のそれぞれが嵌合部と嵌入部とにおいて相互に嵌着してきわめて強度が高くなるので、構築強度の高い擁壁を構築することができる。
【００１６】
そして、構築された擁壁Ｙと法面との間に土、採石、砂利、栗石、土砂、礫などの充填材ａを上から投入して空積みする。
各本体ブロック２の収納空部２３は、擁壁Ｙの前面に突出状に位置し、下面の開放している部分が下段に位置する本体ブロック２の隅部２４の上面で塞がれるので、内部に植物栽培用の土などを充填することにより、植物が生育したり小動物、微生物などが生息することができる。
【００１７】
図１４は本発明の他の実施の形態を示すもので、控えブロック３のブロック体３１の嵌合空部３５に、更に他の控えブロック３の嵌入部３４を嵌着することにより、控えブロック３を後方に２段延長するようにして連結した構成である。このように複数の控えブロックを後方に延長して連結することにより、擁壁の控え長さを大きくする場合に有効である。また、控えブロックは、上述のように２段に連結する場合に限定されないで、擁壁と法面との間隔に対応して何段でも後方に連結することができる。
【００１８】
以上本発明を図面に示す実施の形態に基づいて説明したが、本発明は前記実施の形態に限定されるものではなく、特許請求の範囲に記載の構成を変更しない限りどのようにでも実施することができる。例えば、嵌合部、嵌入部の構成は前記実施例通りではなく、どのような構成でもよい。
【００１９】
【発明の効果】
以上要するに本発明は、前面部と左右の側面部とからなり、前記前面部と前記左右の側面部との間で囲まれる部分に土などの収納空部が形成され、前記左右の側面部には、縦溝状の第１嵌合部を外面に設けてあるとともに、縦方向にしたＬ字状の切り込みによる第２嵌合部を内面に設けてあり、両側面部の後端を離隔してなる本体ブロックと、矩形枠状のブロック体からなり、このブロック体の前面に前側に突出するＴ字状の嵌入部を設け、前記ブロック体の矩形枠状内部には、前記嵌入部と同一形状の嵌合空部を、縦方向に形成した控えブロックとからなり、所定段の本体ブロックが左右に間隔を有して設置され、前記本体ブロックの間隔内の前記第１嵌合部に前記控えブロックの嵌入部が嵌着されて前記控えブロックの上方部分が前記所定段の前記本体ブロックの上方に突出しているとともに、前記控えブロックが前記本体ブロックの後方に突出して配置され、前記所定段から２番目の本体ブロックが、前記所定段の本体ブロックに対してずらせて布積みされ、前記所定段の本体ブロックに嵌着されている控えブロックの上方の突出部分に前記所定段から２番目の本体ブロックの収納空部が係合されて前記第２嵌合部が嵌着されることにより、下から順に前記本体ブロック、前記控えブロックが複数段数積み上げられてなることを特徴とする構築用コンクリートブロック、及びその構築用コンクリートブロックを使用した擁壁に関するものである。
【００２０】
したがって、布積み状態では本体ブロックと控えブロックとが相互に複雑に嵌着して一体化しているので、空積みでありながら強度の高い擁壁を構築することができる。そして、擁壁の前面には各本体ブロックによって土などの収納空部が位置しているので、擁壁表面をきわめて簡単に植生することができる。また、各ブロックの収納空部は、擁壁背面の法面、地山などとの間が充填材としての土などによって連通状態になっているので、擁壁の背後に存在する地中水、小動物、微生物などが収納空部の土などに入り込むことができ、自然環境の保全に寄与することができる。
また、本体ブロックと控えブロックとが別体であるから、個々のブロックを小型化することができ、軽量で人力による施工も可能となり、実用的価値の高いものとなる。
【図面の簡単な説明】
【図１】本発明の構築用コンクリートブロックの実施の形態を示す本体ブロックの斜視図である。
【図２】図１の一部を欠截した正面図である。
【図３】図１の平面図である。
【図４】図２のＡ−Ａ線の断面図である。
【図５】図３のＢ−Ｂ線の断面図である。
【図６】控えブロックの斜視図である。
【図７】図６の平面図である。
【図８】図６の正面図である。
【図９】本体ブロックと控えブロックとにより擁壁を構築した状態の概略正面図である。
【図１０】図９の平面図である。
【図１１】図９のＣ−Ｃ線の断面図である。
【図１２】図９のＤ−Ｄ線の断面図である。
【図１３】図９のＥ−Ｅ線の断面図である。
【図１４】本発明の他の実施の形態の横断平面図である。
【符号の説明】
１  コンクリートブロック
２  本体ブロック
３  控えブロック
２１  前面部
２２  側面部
２３  収納空部
２４  隅部
２５  受け片
２６  第１嵌合部
２７  第２嵌合部
３１  ブロック体
３２  支持部
３３  係止部
３４  嵌入部
３５  嵌合空部
Ｙ    擁壁
ａ    充填材
【図１】
0003652219.tif 000002
【図２】
0003652219.tif 000003
【図３】
0003652219.tif 000004
【図４】
0003652219.tif 000005
【図５】
0003652219.tif 000006
【図６】
0003652219.tif 000007
【図７】
0003652219.tif 000008
【図８】
0003652219.tif 000009
【図９】
0003652219.tif 000010
【図１０】
0003652219.tif 000011
【図１１】
0003652219.tif 000012
【図１２】
0003652219.tif 000013
【図１３】
0003652219.tif 000014
【図１４】
0003652219.tif 000015